(57)【要約】【課題】有料コンテンツの課金・決済を簡素な構成のリモートコントローラ側で行えるようにして構成を簡素化し、また使用者が煩雑な認証操作を行う必要をなくして簡便さを向上させる。【解決手段】パネルディスプレイ装置１００とこれに対応するリモートコントローラ２００とによる有料コンテンツ課金決済システム１０００において、コンテンツ視聴に係る課金・決済のためにリモートコントローラ２００側でそのリーダライタ部２０３でストアードバリュー型電子マネー２１００からそのコンテンツ相応のバリューを減殺するようにして、閉じたシステム内で決済し、リモートコントローラ２００が金融機関のサーバとの通信を行う必要をなくして構成を簡素化する。【選択図】図１
2007195028.tif 000002
【特許請求の範囲】
【請求項１】
スクランブルがかけられた放送信号を受信可能な放送信号受信部と、前記放送信号受信部で受信された放送信号から識別される有料コンテンツに係る課金情報抽出処理を行う課金情報抽出処理部と、前記課金情報抽出処理部で抽出された課金情報に基づいて表示器に当該有料コンテンツを特定するための表示およびそのコンテンツが有料放送である旨の表示ならびに当該有料放送コンテンツの視聴料金を表示する課金情報表示処理部と、対応するリモートコントローラからのコマンドを受信するためのリモートコントロール信号受信部と、前記リモートコントロール受信部で当該有料コンテンツを視聴可能にするように指示するコマンドを受信したときには前記リモートコントローラとの間で課金および決済に関する情報の授受を行う本体側課金・決済通信部と、前記本体側課金・決済通信部で前記リモートコントローラ側からストアードバリュー型電子マネーによって当該有料コンテンツの課金に対する決済が完了した旨の情報が受信されたときには前記放送信号受信部で受信される当該有料コンテンツの放送信号に対するデスクランブル処理を当該決済に相応した期間に亘って行うデスクランブル部と、を備えたことを特徴とするパネルディスプレイ装置と、
前記パネルディスプレイ装置に対するコマンドを送信するリモートコントロール信号投射部と、前記パネルディスプレイ装置との間で有料コンテンツに係る課金および決済に関する情報の授受を行うリモートコントローラ側課金・決済通信部と、前記リモートコントロール信号投射部から前記パネルディスプレイ装置に有料コンテンツを視聴可能にするように指示するコマンドを送信したことに応答して前記パネルディスプレイ装置の本体側課金・決済通信部から発せられた当該有料コンテンツに係る課金の情報が前記リモートコントローラ側課金・決済通信部で受信されたときには適用されたストアードバリュー型電子マネーから当該有料コンテンツの課金に対する決済処理を実行するための電子マネー決済処理部と、を備えたことを特徴とするリモートコントローラと、
を含んで構成されたことを特徴とする有料コンテンツ課金決済システム。
【請求項２】
スクランブルがかけられた放送信号を受信可能な放送信号受信部と、前記放送信号受信部で受信された放送信号から識別される有料コンテンツに係る課金情報抽出処理を行う課金情報抽出処理部と、前記課金情報抽出処理部で抽出された課金情報に基づいて表示器に当該有料コンテンツを特定するための表示およびそのコンテンツが有料放送である旨の表示ならびに当該有料放送コンテンツの視聴料金を表示する課金情報表示処理部と、対応するリモートコントローラからのコマンドを受信するためのリモートコントロール信号受信部と、前記リモートコントロール信号受信部で当該有料コンテンツを視聴可能にするように指示するコマンドを受信したときには前記リモートコントローラとの間で課金および決済に関する情報の授受を行う本体側課金・決済通信部と、前記本体側課金・決済通信部で前記リモートコントローラ側からストアードバリュー型電子マネーによって当該有料コンテンツの課金に対する決済が完了した旨の情報が受信されたときには前記放送信号受信部で受信される当該有料コンテンツの放送信号に対するデスクランブル処理を当該決済に相応した期間に亘って行うデスクランブル部と、を備えたことを特徴とするパネルディスプレイ装置。
【請求項３】
パネルディスプレイ装置に対するコマンドを送信するリモートコントロール信号投射部と、前記パネルディスプレイ装置との間で有料コンテンツに係る課金および決済に関する情報の授受を行うリモートコントローラ側課金・決済通信部と、前記リモートコントロール信号投射部から前記パネルディスプレイ装置に有料コンテンツを視聴可能にするように指示するコマンドを送信したことに応答して当該有料コンテンツに係る課金の情報が前記リモートコントローラ側課金・決済通信部で受信されたときには適用されたストアードバリュー型電子マネーから当該有料コンテンツの課金に対する決済処理を実行するための電子マネー決済処理部と、を備えたことを特徴とするリモートコントローラ。
【請求項４】
前記本体側課金・決済通信部およびリモートコントローラ側課金・決済通信部は、ＩＥＥＥ８０２．１１ｂ、ＩＥＥＥ８０２．１１ｇ、ブルートゥース、または、ＺｉｇＢｅｅの何れかに準拠した通信方式によって通信を行うように構成されていることを特徴とする請求項１に記載の有料コンテンツ課金決済システム。
【請求項５】
前記本体側課金・決済通信部は、ＩＥＥＥ８０２．１１ｂ、ＩＥＥＥ８０２．１１ｇ、ブルートゥース、または、ＺｉｇＢｅｅの何れかに準拠した通信方式によって通信を行うように構成されていることを特徴とする請求項２に記載のパネルディスプレイ装置。
【請求項６】
前記リモートコントローラ側課金・決済通信部は、ＩＥＥＥ８０２．１１ｂ、ＩＥＥＥ８０２．１１ｇ、ブルートゥース、または、ＺｉｇＢｅｅの何れかに準拠した通信方式によって通信を行うように構成されていることを特徴とする請求項３に記載のリモートコントローラ。
【請求項７】
前記電子マネー決済処理部は、ストアードバリュー型電子マネーとしての腕時計内蔵型電子マネーに対応するリーダライタ部を含んで構成されていることを特徴とする請求項３に記載のリモートコントローラ。
【請求項８】
前記電子マネー決済処理部は、ストアードバリュー型電子マネーとしてのカード型電子マネーに対応するリーダライタ部を含んで構成されていることを特徴とする請求項３に記載のリモートコントローラ。
【発明の詳細な説明】
【技術分野】
【０００１】
本発明は、デジタルテレビジョン放送やケーブルテレビジョン放送等における有料コンテンツに関する課金と決済を行うシステム、および、このシステムに適合するパネルディスプレイ装置、ならびに、リモートコントローラに関する。
【背景技術】
【０００２】
デジタルＣＳ(Communication Satellite)放送において、有料放送を視聴する都度放送受信端末に挿入されているＩＣカードに視聴履歴を別途記録することが行われている。視聴料金の課金・決済は、放送局からの放送を用いた視聴履歴の回収要求を受信した放送受信端末装置が、電話回線を用いて、この視聴履歴を課金・決済するシステムに送信することによって実行されるのが一般的であった。
【０００３】
このような課金・決済方法では、視聴する有料放送の数が多くなったり、有料単位の粒度（規模）が小さくなったりすると、視聴履歴情報の数、即ち、頻度が増大してＩＣカードでは管理しきれなくなる。
更に、サービス数が増大したり粒度（規模）が小さくなったりして視聴履歴情報の伝送頻度が増大すると、視聴履歴回収のための電話回線のコストが増大する。即ち、視聴履歴の回収コストは利用料金の多寡よりも視聴履歴回収の頻度に比例する。
【０００４】
このような問題に着目して、放送受信端末装置内で閉じて決済することにより電話回線の使用回数や視聴またはデータ利用の履歴のためのデータ量を削減し、且つ、プライバシーの保護が図れる放送受信端末装置を実現しようとする提案がなされている。
この提案では、放送番組を選局受信し、受信した番組を受信機内或いは外部に接続された蓄積部に特定の構造化を行って蓄積し、このような構造化された蓄積情報に依拠して視聴者と対話形式で視聴対象の番組等を選択し視聴すると、決済処理手段によって当該番組に関する課金の決済処理として利用料金の相殺処理が実行されるようにするというものである。受信端末装置内で閉じて処理（ウォレット（財布）間での相殺など）するため視聴履歴の送信が行われることがなくプライバシの保護が図られ、且つ、小額の利用料金の回収が容易となるとされている（特許文献１参照）。
【０００５】
また一方、リモートコントローラで閲覧権利情報を管理して、リモートコントローラに対応するコンテンツ閲覧装置において特定のコンテンツの閲覧を行う際の処理を容易にし、またリモートコントローラに閲覧権利情報を取得する際の電子マネーによる決済システムを装備して、配信センタ側において視聴者たる各個人に対する情報のサーバによる管理を不要にして、配信センタ側のコストを低減できるようにすると共に、ユーザが購入し視聴したコンテンツのタイトル等に関する情報のプライバシーを保護できるようにしようとする提案もなされている（特許文献２参照）。
【特許文献１】特開平１１−２２０７１４号公報（段落０００２〜段落００１０、段落００１８、図１）
【特許文献２】特開２００５−１７６０７４号公報（段落００１５〜段落００１６、段落０１２９、図１）
【発明の開示】
【発明が解決しようとする課題】
【０００６】
しかしながら、特許文献１では、番組の視聴に係る課金とその決済の手続きに関して、この種の映像機器におけるリモートコントローラをその手段に利用しようとする着想がない。
他方、特許文献２の開示ではリモートコントローラをコンテンツの視聴に係る権利の取得や課金ならびに決済の手段に利用しようとする思想は開示されているが、この特許文献の技術は、コンテンツの閲覧装置本体とは別の系統によってリモートコントローラがコンテンツ配信センターと交信を行ってコンテンツ閲覧の権利を取得し課金に対する決済を行うものである。或る局面からは、リモートコントローラ側の機能上の分担が相対的に重くなることは敢えて厭わぬ技術思想であると見ることもできる。
【０００７】
このため、コンテンツを現実に視聴するに供する装置本体側とこれに対応するリモートコントローラ側とで、双方の機能分担の最適化を計り、リモートコントローラ自体の機能上の負担を相対的に軽くさせようとするような思想がない。
本発明はこのような状況に鑑みてなされたものであり、コンテンツを視聴するためのパネルディスプレイ装置とこれに対応するリモートコントローラとによる有料コンテンツ課金決済システムにおいて、パネルディスプレイ装置とリモートコントローラとの双方の機能分担の最適化を計り、リモートコントローラ側の構成を極力簡素にして、現実の使用状態においてはコンテンツの選択から視聴までの殆ど全ての操作を賄うことになるリモートコントローラの操作が簡単になるようにして、総体的に取り扱い易さを向上させることを目的とする。
【０００８】
また、コンテンツ視聴に係る課金の決済のためにリモートコントローラ側でストアードバリュー型電子マネーを適用するようにして、リモートコントローラが金融機関のサーバとの通信を行う必要をなくして、構成を簡素化し、また使用者が煩雑な認証操作を行う必要をなくして簡便さを向上させたこの種のシステムならびに装置を提供することをも目的としている。
【課題を解決するための手段】
【０００９】
上記課題を解決するべく、本願では次に列記するような技術を提案する。尚、本願において「パネルディスプレイ装置」の語は、デジタルテレビジョン受像機として具現される場合の装置を包摂する広義の概念として用いている。
（１）スクランブルがかけられた放送信号を受信可能な放送信号受信部と、前記放送信号受信部で受信された放送信号から識別される有料コンテンツに係る課金情報抽出処理を行う課金情報抽出処理部と、前記課金情報抽出処理部で抽出された課金情報に基づいて表示器に当該有料コンテンツを特定するための表示およびそのコンテンツが有料放送である旨の表示ならびに当該有料放送コンテンツの視聴料金を表示する課金情報表示処理部と、対応するリモートコントローラからのコマンドを受信するためのリモートコントロール信号受信部と、前記リモートコントロール受信部で当該有料コンテンツを視聴可能にするように指示するコマンドを受信したときには前記リモートコントローラとの間で課金および決済に関する情報の授受を行う本体側課金・決済通信部と、前記本体側課金・決済通信部で前記リモートコントローラ側からストアードバリュー型電子マネーによって当該有料コンテンツの課金に対する決済が完了した旨の情報が受信されたときには前記放送信号受信部で受信される当該有料コンテンツの放送信号に対するデスクランブル処理を当該決済に相応した期間に亘って行うデスクランブル部と、を備えたことを特徴とするパネルディスプレイ装置と、
前記パネルディスプレイ装置に対するコマンドを送信するリモートコントロール信号投射部と、前記パネルディスプレイ装置との間で有料コンテンツに係る課金および決済に関する情報の授受を行うリモートコントローラ側課金・決済通信部と、前記リモートコントロール信号投射部から前記パネルディスプレイ装置に有料コンテンツを視聴可能にするように指示するコマンドを送信したことに応答して前記パネルディスプレイ装置の本体側課金・決済通信部から発せられた当該有料コンテンツに係る課金の情報が前記リモートコントローラ側課金・決済通信部で受信されたときには適用されたストアードバリュー型電子マネーから当該有料コンテンツの課金に対する決済処理を実行するための電子マネー決済処理部と、を備えたことを特徴とするリモートコントローラと、
を含んで構成されたことを特徴とする有料コンテンツ課金決済システム。
【００１０】
上記（１）の有料コンテンツ課金決済システムでは、パネルディスプレイ装置側において、放送信号受信部で受信されたスクランブルがかけられた放送信号をデスクランブル部でデスクランブル処理して視聴可能な信号に変換する。
この場合、デスクランブル部は、リモートコントローラ側から選択された有料コンテンツを視聴可能にするように指示するコマンドを受信したときに本体側課金・決済通信部がリモートコントローラとの間で課金および決済に関する情報の授受を行ってリモートコントローラ側でストアードバリュー型電子マネーによって当該有料コンテンツの課金に対する決済が完了した旨の情報が受信されたときに、上記有料コンテンツの放送信号に対するデスクランブル処理を実行する。
【００１１】
一方、リモートコントローラ側では、自己のリモートコントロール信号投射部からパネルディスプレイ装置に向けて有料コンテンツを視聴可能にするように指示するコマンドを送信したことに応答してパネルディスプレイ装置の本体側課金・決済通信部から発せられた当該有料コンテンツに係る課金の情報がリモートコントローラ側課金・決済通信部で受信されたときには、電子マネー決済処理部で、適用されたストアードバリュー型電子マネーから当該有料コンテンツの課金に対する決済処理を実行する。
【００１２】
リモートコントローラ側では、パネルディスプレイ装置との交信を行うのとは別系統で課金や決済処理に関する通信を行うことがなく、専らパネルディスプレイ装置との信号の授受に基づいて、外部の決済処理システムを俟つことなく、閉じた決済を行うことができるストアードバリュー型電子マネーの残存バリューを減殺するような簡単な形式で決済処理が実行される。
【００１３】
（２）スクランブルがかけられた放送信号を受信可能な放送信号受信部と、前記放送信号受信部で受信された放送信号から識別される有料コンテンツに係る課金情報抽出処理を行う課金情報抽出処理部と、前記課金情報抽出処理部で抽出された課金情報に基づいて表示器に当該有料コンテンツを特定するための表示およびそのコンテンツが有料放送である旨の表示ならびに当該有料放送コンテンツの視聴料金を表示する課金情報表示処理部と、対応するリモートコントローラからのコマンドを受信するためのリモートコントロール信号受信部と、前記リモートコントロール信号受信部で当該有料コンテンツを視聴可能にするように指示するコマンドを受信したときには前記リモートコントローラとの間で課金および決済に関する情報の授受を行う本体側課金・決済通信部と、前記本体側課金・決済通信部で前記リモートコントローラ側からストアードバリュー型電子マネーによって当該有料コンテンツの課金に対する決済が完了した旨の情報が受信されたときには前記放送信号受信部で受信される当該有料コンテンツの放送信号に対するデスクランブル処理を当該決済に相応した期間に亘って行うデスクランブル部と、を備えたことを特徴とするパネルディスプレイ装置。
【００１４】
上記（２）のパネルディスプレイ装置では、自己の放送信号受信部で受信されたスクランブルがかけられた放送信号をデスクランブル部でデスクランブル処理して視聴可能な信号に変換する。
この場合、デスクランブル部は、リモートコントローラ側から選択された有料コンテンツを視聴可能にするように指示するコマンドを受信したときに本体側課金・決済通信部がリモートコントローラとの間で課金および決済に関する情報の授受を行ってリモートコントローラ側でストアードバリュー型電子マネーによって当該有料コンテンツの課金に対する決済が完了した旨の情報が受信されたときに、上記有料コンテンツの放送信号に対するデスクランブル処理を実行する。
【００１５】
このため、上記の有料コンテンツの視聴に係る課金と決済に関して、リモートコントローラ側から見ると、パネルディスプレイ装置との交信を行うのとは別系統で課金や決済処理に関する通信を行うことがなく、専らパネルディスプレイ装置との信号の授受に基づいて、外部の決済処理システムを俟つことなく、閉じた決済を行うことができるストアードバリュー型電子マネーの残存バリューを減殺するような簡単な形式で決済処理が実行される。
【００１６】
（３）パネルディスプレイ装置に対するコマンドを送信するリモートコントロール信号投射部と、前記パネルディスプレイ装置との間で有料コンテンツに係る課金および決済に関する情報の授受を行うリモートコントローラ側課金・決済通信部と、前記リモートコントロール信号投射部から前記パネルディスプレイ装置に有料コンテンツを視聴可能にするように指示するコマンドを送信したことに応答して当該有料コンテンツに係る課金の情報が前記リモートコントローラ側課金・決済通信部で受信されたときには適用されたストアードバリュー型電子マネーから当該有料コンテンツの課金に対する決済処理を実行するための電子マネー決済処理部と、を備えたことを特徴とするリモートコントローラ。
【００１７】
上記（３）のリモートコントローラでは、パネルディスプレイ装置との交信を行うのとは別系統で課金や決済処理に関する通信を行うことがなく、専らパネルディスプレイ装置との信号の授受に基づいて、有料コンテンツに係る課金の情報がパネルディスプレイ装置側から自己のリモートコントローラ側の課金・決済通信部へと供給されるため、外部の決済処理システムとの交信を俟つことなく、閉じた決済を行うことができるストアードバリュー型電子マネーの残存バリューを減殺するような簡単な形式で決済処理を実行できる。
【００１８】
（４）前記本体側課金・決済通信部およびリモートコントローラ側課金・決済通信部は、ＩＥＥＥ８０２．１１ｂ、ＩＥＥＥ８０２．１１ｇ、ブルートゥース、または、ＺｉｇＢｅｅの何れかに準拠した通信方式によって通信を行うように構成されていることを特徴とする（１）の有料コンテンツ課金決済システム。
【００１９】
上記（４）の有料コンテンツ課金決済システムでは、（１）の有料コンテンツ課金決済システムにおいて特に、パネルディスプレイ装置側とリモートコントローラ側とが課金および決済に関する情報の授受をＩＥＥＥ８０２．１１ｂ、ＩＥＥＥ８０２．１１ｇ、ブルートゥース、または、ＺｉｇＢｅｅの何れかに準拠した通信方式によって別段の免許等を要することなく実用的な限られた範囲内の距離で比較的高速に確実に行うことができる。
【００２０】
（５）前記本体側課金・決済通信部は、ＩＥＥＥ８０２．１１、ＩＥＥＥ８０２．１１ｇ、ブルートゥース、または、ＺｉｇＢｅｅの何れかｂに準拠した通信方式によって通信を行うように構成されていることを特徴とする（２）のパネルディスプレイ装置。
上記（５）のパネルディスプレイ装置では、上記（２）のパネルディスプレイ装置において特に、リモートコントローラ側との課金および決済に関する情報の授受をＩＥＥＥ８０２．１１ｂ、ＩＥＥＥ８０２．１１ｇ、ブルートゥース、または、ＺｉｇＢｅｅの何れかに準拠した通信方式によって別段の免許等を要することなく実用的な限られた範囲内の距離で比較的高速に確実に行うことができる。
【００２１】
（６）前記リモートコントローラ側課金・決済通信部は、ＩＥＥＥ８０２．１１ｂ、ＩＥＥＥ８０２．１１ｇ、ブルートゥース、または、ＺｉｇＢｅｅの何れかに準拠した通信方式によって通信を行うように構成されていることを特徴とする（３）のリモートコントローラ。
上記（６）のリモートコントローラでは、（３）のリモートコントローラにおいて特に、パネルディスプレイ装置側との課金および決済に関する情報の授受をＩＥＥＥ８０２．１１ｂ、ＩＥＥＥ８０２．１１ｇ、ブルートゥース、または、ＺｉｇＢｅｅの何れかに準拠した通信方式によって別段の免許等を要することなく実用的な限られた範囲内の距離で比較的高速に確実に行うことができる。
【００２２】
（７）前記電子マネー決済処理部は、ストアードバリュー型電子マネーとしての腕時計内蔵型電子マネーに対応するリーダライタ部を含んで構成されていることを特徴とする（３）のリモートコントローラ。
上記（７）のリモートコントローラでは、上記（３）のリモートコントローラにおいて特に、自己の電子マネー決済処理部は、ストアードバリュー型電子マネーとしての腕時計内蔵型電子マネーに対応するリーダライタ部を有するため、腕時計内蔵型電子マネーによる利便性をそのまま享受できる。
【００２３】
（８）前記電子マネー決済処理部は、ストアードバリュー型電子マネーとしてのカード型電子マネーに対応するリーダライタ部を含んで構成されていることを特徴とする（３）のリモートコントローラ。
上記（８）のリモートコントローラでは、上記（３）のリモートコントローラにおいて特に、自己の電子マネー決済処理部は、ストアードバリュー型電子マネーとしてのカード型電子マネーに対応するリーダライタ部を有するため、カード型電子マネーによる利便性をそのまま享受できる。
【発明を実施するための最良の形態】
【００２４】
以下、本発明の実施の形態を図面を参照して説明する。尚、以下に参照する図においては、便宜上、説明の主題となる要部は適宜誇張し、要部以外については適宜簡略化し乃至省略されている。
尚、本発明の実施の形態において、放送信号の受信とは、広くコンテンツの配信を受ける種々の手段ないし系統によってコンテンツを表す情報の供給を受ける場合がこれに該当し、例えば、インターネット経由でのＶＯＤ（ビデオオンデマンド）での供給を受ける場合や蓄積コンテンツから特定のコンテンツの供給を受ける場合が包摂され、以下に図面を参照して説明するような放送波の受信のみに限定されるものではない。
【００２５】
図１は、本発明の一つの実施の形態としての有料コンテンツ課金決済システム１０００とその使用状況を表す図である。この有料コンテンツ課金決済システム１０００はパネルディスプレイ装置１００とこれに対応するリモートコントローラ２００とを含んで構成される。
図１において、パネルディスプレイ装置としてのデジタルテレビジョン受像機（以下、デジタルテレビという）１００はこれに対応するリモートコントローラ２００から赤外光等による制御信号を受けてその動作が制御され得るように構成されている。
【００２６】
デジタルテレビ１００は、その筐体１０１に、映像を映出するスクリーン１０２を持つ例えば液晶表示器あるいはプラズマディスプレイ等の表示器１６０を備えている。
また、デジタルテレビ１００の、スクリーン１０２の下方の右側に寄った位置の筐体１０１の部分にはリモートコントローラ２００からの例えば赤外光によるリモートコントロール信号を受けるリモートコントロール信号検出用窓１８０が設けられている。
【００２７】
リモートコントローラ２００は、図示しない使用者による操作・表示部２０１に対する操作に応じて、リモートコントロール信号投射部２０２からデジタルテレビ１００側のリモートコントロール信号検出用窓１８０に赤外光によるリモートコントロール信号（コマンド）を投射してデジタルテレビ１００を操作する。
このリモートコントローラ２００は、リモートコントロール信号投射部２０２からリモートコントロール信号を投射するほか、後述するように、自己に備えられたリモートコントローラ側課金・決済通信部からＩＥＥＥ８０２．１１ｂその他（後に詳述）に準拠した通信方式によってデジタルテレビ１００側に備えられた本体側課金・決済通信部と通信を行うように構成され、更に、後述する電子マネー決済処理部を構成するリーダライタ部２０３を有する。
【００２８】
このリーダライタ部２０３は、例えば図示のようなストアードバリュー型電子マネーとしてのカード型電子マネー２１００に対応するものである。
視聴者たるリモートコントローラ２００の使用者は、デジタルテレビ１００のスクリーン１０２に映し出された有料コンテンツのガイド表示を見て、そのコンテンツの視聴（購入）を希望するときには、操作・表示部２０１に対する操作を行って有料コンテンツを視聴可能にするように指示するコマンドをリモートコントロール信号投射部２０２からデジタルテレビ１００（そのリモートコントロール信号検出用窓１８０）に向けて投射させる。
【００２９】
このコマンドを受けたデジタルテレビ１００側では、その有料コンテンツの視聴にかかる料金（課金）の情報を本体側課金・決済通信部からＩＥＥＥ８０２．１１ｂに準拠した通信方式によってリモートコントローラ側課金・決済通信部に送る。
この課金情報を受けたリモートコントローラ２００側では、その課金情報が操作・表示部２０１に表示されるので、視聴者はその課金に応諾して決済すべく、例えば図示のようなストアードバリュー型電子マネーとしてのカード型電子マネー２１００をリーダライタ部２０３に近接ないし接触させると、その課金に応じたバリューがカード型電子マネー２１００の残存バリューから減殺されて決済が完了する。
【００３０】
このようにして決済が完了すると、その旨の信号が、リモートコントローラ側課金・決済通信部からＩＥＥＥ８０２．１１ｂに準拠した通信方式によってデジタルテレビ１００側に備えられた本体側課金・決済通信部に送信される。
デジタルテレビ１００側では、このように送信された決済完了の旨の情報を受けると、これに応じて、上記の有料コンテンツにかけられたスクランブルを解除して、そのコンテンツに限って、番組ごとに購入が行える所謂ＰＰＶ（ペイ・パー・ビュー）の視聴ができる状態になる。
【００３１】
図２は、図１の有料コンテンツ課金決済システム１０００におけるパネルディスプレイ装置としてのデジタルテレビ１００の構成を示すブロック図である。周波数変換器を備えたアンテナ１１０で受信され周波数変換された放送波はチューナ部１２０に供給される。
チューナ部１２０では、映像データと音声データとを含む高周波データ変調信号のうちから所望の特定周波数の信号を抽出し、復調処理、逆インターリーブ処理、誤り訂正処理等を行って上記抽出した信号を復調してトランスポートストリームを出力する。更に、チューナ部１２０は、誤り訂正処理の過程で得られる受信状態を表すエラーレートまたはＣ／Ｎ比のデータを生成する。
【００３２】
チューナ部１２０の出力であるトランスポートストリームはデスクランブル部１３０に供給される。デスクランブル部１３０は、適用されたＩＣカード１３１からＩＣカード読取り部１３２が読取った鍵情報を用いてトランスポートストリームのスクランブルを解除するが、本実施の形態では、このようにデスクランブル部１３０が機能するについては、後述するように有料コンテンツに係る課金の決済が完了していることを一つの条件としてデスクランブル処理が実行されるように構成されている。
【００３３】
デスクランブル部１３０は、更に、デマルチプレクス処理機能を備えており、デスクランブル処理されたトランスポートストリームを、ＭＰＥＧ２（Moving Picture Experts Group２）のビデオトランスポートパケット、オーディオトランスポートパケット、及びＰＳＩ／ＳＩ（Program Specific Information／Service Information）に分離する。
このように分離されたビデオトランスポートパケットとオーディオトランスポートパケットはＡＶデコーダ部１４０に供給される。
【００３４】
このデジタルテレビ１００の系全体を統括的に制御するマイクロプロセッサを主体に構成されたシステムコントローラ１５０が設けられ、このシステムコントローラ１５０に、既述の受信状態を表すエラーレートまたはＣ／Ｎ比のデータ、および、ＰＳＩ／ＳＩのデータも入力される。
システムコントローラ１５０はその各該当する機能部の働きによって本発明の枢要な構成要件としての各手段乃至それを構成する部分として機能するようになされている。
【００３５】
即ち、放送信号受信部（その一機能部）としてのチューナ部１５０で受信された放送信号から識別される有料コンテンツに係る課金情報抽出処理を行う課金情報抽出処理部としての機能や、この課金情報抽出処理部（これに該当する機能部）で抽出された課金情報に基づいて表示器１６０に当該有料コンテンツを特定するための表示およびそのコンテンツが有料放送である旨の表示ならびに当該有料放送コンテンツの視聴料金を表示するための処理を行う課金情報表示処理部としての機能を含む。
【００３６】
当該有料コンテンツを特定するための表示ならびに当該有料放送コンテンツの視聴料金を文字表示する場合は、後述するＯＳＤ回路１５１の出力である文字データを加算器１４１で映像データに重畳する。トランスポートストリームには複数のチャンネルが多重化されており、これらのうちから所望のチャンネルを選択することは、既述のＰＳＩ／ＳＩから当該所望のチャンネルがトランスポートストリーム中でどのパケットＩＤで多重化されているかといったデータを判読することによって達成される。
【００３７】
また、トランスポートストリームの選定（トランスポンダの選定）もＰＳＩ／ＳＩに依拠して行われる。
尚、ＳＩ（サービス情報）には、番組情報（番組内容、番組開始時刻、番組継続時間、ジャンル情報等）が含まれている。
ＡＶデコーダ部１４０は、ビデオトランスポートパケットに対してデコードを行うビデオデコーダ、および、オーディオトランスポートパケットに対してデコードを行うオーディオデコーダを備えている。
【００３８】
このビデオデコーダは、入力された可変長符号を復号して量子化係数や動きベクトルを求め、逆ＤＣＴ変換や動きベクトルに基づく動き補償制御などを行う。
また、オーディオデコーダは、入力された符号化信号を復号して音声データを生成する。
ＡＶデコーダ部１４０の上述のビデオデコーダの出力は、加算器１４１を介して映像処理部１４２に供給され、一方、上述のオーディオデコーダの出力は、音声処理部１４３に供給される。
【００３９】
映像処理部１４２は、ＡＶデコーダ部１４０から映像データを受け取ってＤ／Ａ変換を行い、例えばコンポジット映像信号に変換する。一方、音声処理部１４３は、ＡＶデコーダ部１４０から音声データを受け取ってＤ／Ａ変換を行い、例えば右（Ｒ）音のアナログ信号および左（Ｌ）音のアナログ信号を生成する。
映像処理部１４２の出力は映像出力部１４４を介して表示器１６０に供給されて映像が画面に表示され、音声処理部１４３の出力は音声出力部１４５を介してスピーカ１６１に供給されて音声が出力される。
【００４０】
システムコントローラ１５０の制御下で作動するＯＳＤ回路１５１が設けられ、システムコントローラ１５０から出力指示された文字情報や色情報に基づく映像データを生成して加算器１４１に出力する。加算器１４１は映像データをＡＶデコーダ１４０から出力される受信映像データに組み込む処理を行う。
リモートコントローラ２００からの赤外光によるリモートコントロール信号を受信するためのリモートコントロール信号受信部１５２が設けられ、その出力がリモートコントロール信号デコード部１５３でデコード処理されてシステムコントローラ１５０に供給されるように構成されている。
【００４１】
メモリ１５５がシステムコントローラ１５０と種々のデータの授受を行い得るように設けられ、更に、このデジタルテレビ１００に対してリモートコントローラ２００を介さずに直接操作を行うための操作ボタンやその他の操作子を備えた操作部１５６がシステムコントローラ１５０に接続されている。
一方、システムコントローラ１５０には、この種の映像機器において通常の仕様とされるＩＰ網４００との接続を可能にするためのＩＰ網インターフェース部１５７が接続されている。本例のデジタルテレビ１００は、このＩＰ網インターフェース部１５７を通してＩＰ網４００と、従って、ＩＰ網４００を介してサーバ４５０のような情報源と結ばれて広範囲に情報の授受を行うことが可能である。
【００４２】
システムコントローラ１５０には、更に、本実施の形態における一つの特徴的機能を実現するための要素である課金・決済通信部（本体側課金・決済通信部）１７０が接続されている。課金・決済通信部１７０は、リモートコントロール信号受信部１５２で視聴者が希望する有料コンテンツを視聴可能にするように指示するコマンドをリモートコントローラ２００から受信したときにはこのリモートコントローラ２００との間で課金および決済に関する情報の授受をその内容とする通信を行う。
【００４３】
課金・決済通信部１７０は、後述するリモートコントローラ２００側の課金・決済通信部（リモートコントローラ側課金・決済通信部）２７０と対応するようにして、この通信をＩＥＥＥ８０２．１１ｂ、ＩＥＥＥ８０２．１１ｇ、ブルートゥース、または、ＺｉｇＢｅｅの何れかに準拠した通信方式によって通信を行うように構成され得るが、上記の方式に限定されず、これに準じた、或いは、異なった、種々の短距離通信方式を採用することもできる。何れの場合でも、この通信は、所定の暗号化された情報によって通信が行われ、通信内容の秘匿性が確保される。
【００４４】
図３は、図１の有料コンテンツ課金決済システム１０００におけるリモートコントローラ２００の構成を示すブロック図である。リモートコントローラ２００には、コンテンツの視聴者であるユーザーの操作を受付ける操作キーや操作に関連した発光表示や文字や記号の表示などを行う表示素子等を含んで構成される操作・表示部２０１が設けられ、この操作・表示部２０１は、リモートコントローラ２００の系全体を統括的に制御するシステムコントローラ２１０に接続されている。
【００４５】
このシステムコントローラ２１０には、デジタルテレビ１００側のリモートコントロール信号受信部１５２に向けて操作指令である赤外光によるコマンドを投射するリモートコントロール信号投射部２０２、上述の課金・決済通信部（リモートコントローラ側課金・決済通信部）２７０、および、リモートコントロール信号投射部２０２からデジタルテレビ１００に有料コンテンツを視聴可能にするように指示するコマンドを送信したことに応答してその有料コンテンツに係る課金の情報がリモートコントローラ側課金・決済通信部２７０で受信されたときには適用されたストアードバリュー型電子マネーからその有料コンテンツの課金に対する決済処理を実行するための電子マネー決済処理部の一機能部として作動するリーダライタ部２０３が接続されている。
【００４６】
更に、種々のデータをシステムコントローラ２１０と授受可能に保持するメモリ２１１、外部機器と接続されたことを検出する接続検出部２１２、および、接続された外部機器とのデータの授受を行うための外部機器インターフェース部２１３が接続されている。接続検出部２１２とシステムコントローラ２１０との共働によってパーソナルコンピュータなどの外部機器と接続されたことが検出されると、外部機器インターフェース部２１３を通して、種々の情報の判読や取得、乃至は、このリモートコントローラ２１０のバージョンアップのためのデータの取得等々が実行される。
【００４７】
以上、図１ないし図３を参照して説明した有料コンテンツ課金決済システムでは、パネルディスプレイ装置であるデジタルテレビ１００側において、放送信号受信部としてのチューナ部１２０で受信されたスクランブルがかけられた放送信号をデスクランブル部１３０でデスクランブル処理して視聴可能な信号に変換する。
この場合、デスクランブル部１３０は、リモートコントローラ２００側から選択された有料コンテンツを視聴可能にするように指示するコマンド（コマンドをリモートコントロール信号投射部２０２から投射する赤外光によるコマンド）を受信したときにデジタルテレビ１００の本体側課金・決済通信部１７０がリモートコントローラ２００との間で課金および決済に関する情報の授受を行って、その結果リモートコントローラ２００側でストアードバリュー型電子マネー（例えば、図１のカード型電子マネー２１００）によって当該有料コンテンツの課金に対する決済が完了した旨の情報が受信されたときに、この有料コンテンツの放送信号に対するデスクランブル処理を実行する。
【００４８】
一方、リモートコントローラ２００側では、リモートコントロール信号投射部２０２からパネルディスプレイ装置としてのデジタルテレビ１００に向けて有料コンテンツを視聴可能にするように指示する赤外光によるコマンドを送信したことに応答してデジタルテレビ１００の本体側課金・決済通信部１７０から発せられたその有料コンテンツに係る課金の情報がリモートコントローラ側課金・決済通信部２７０で受信されたときには、電子マネー決済処理部（その一機能部として作動するリーダライタ部２０３を備えている）で、適用されたストアードバリュー型電子マネー（例えば、図１のカード型電子マネー２１００）からその有料コンテンツの課金に対する決済処理、即ち、相応するバリューの減殺処理を実行する。
【００４９】
このため、リモートコントローラ２００側では、パネルディスプレイ装置（デジタルテレビ１００）との交信を行うのとは別系統で課金や決済処理に関する通信を行うことがなく、専らパネルディスプレイ装置１００との信号の授受に基づいて、外部の決済処理システムを俟つことなく、閉じた決済を行うことができるストアードバリュー型電子マネーの残存バリューを減殺するような簡単な形式で決済処理が実行される。
【００５０】
また、この発明の一つの実施の形態では、本体側課金・決済通信部およびリモートコントローラ側課金・決済通信部は、ＩＥＥＥ８０２．１１ｂ、ＩＥＥＥ８０２．１１ｇ、ブルートゥース、または、ＺｉｇＢｅｅの何れかに準拠した通信方式によって通信を行うように構成されているため、別段の免許等を要することなく実用的な限られた範囲内の距離で比較的高速に確実に行うことができる。
【００５１】
図４は、本発明の他の実施の形態を説明する図である。図４の実施の形態では、リモートコントローラ２００ａの電子マネー決済処理部は、ストアードバリュー型電子マネーとしての腕時計内蔵型電子マネー２２００に対応するリーダライタ部２０３ａを含んで構成されている。
このような腕時計内蔵型電子マネー２２００は、バリューを保持する機能と共に、ユーザーを特定するＲＦ−ＩＤタグが搭載されたものである。ユーザーがこの腕時計内蔵型電子マネー２２００を手首に装着した状態でリモートコントローラ２００ａを把持すると、自ずから、腕時計内蔵型電子マネー２２００のリーダライタ部２０３ａに通信可能距離内まで近接する。
【００５２】
この状態で、リモートコントローラ２００ａ側が課金および決済に係る処理を実行する状態になると、既述の実施の形態と同様に、リモートコントローラ２００ａ側のリーダライタ部２０３ａによって、腕時計内蔵型電子マネー２２００から視聴コンテンツに相応する課金相当額のバリューが減殺される。
この種の腕時計自体は、例えば、本出願人が先に提案した特開２００２−３００６５１号公報所載の腕時計のようなＲＦ信号の授受によってユーザー認証を行う機能を搭載した形態のものとして実現される。
【００５３】
以上説明した本発明の実施の形態では、課金と決済が、ストアードバリュー型電子マネーに予めチャージされた預金（残存バリュー）から減殺されるといったような、外部の金融システムとの通信を俟たないリモートコントローラ側だけで閉じた系で完結するため、必ずしもネットワークに接続されていない簡単なシステムとして有料コンテンツ課金決済システムが構築され得る。
【００５４】
当然ながら、この課金決済システムは端末の分担する機能が軽くなるため、リモートコントローラが簡易に構成され、したがって、その取り扱いも簡素化され、システムとして総体的に使い勝手に優れたものとなる。
即ち、コンテンツを視聴するためのパネルディスプレイ装置（上述の実施の形態ではデジタルテレビ）とこれに対応するリモートコントローラとによる有料コンテンツ課金決済システムにおいて、パネルディスプレイ装置とリモートコントローラとの双方の機能分担の最適化が計られ、リモートコントローラ側の構成を極力簡素にして、現実の使用状態においてはコンテンツの選択から視聴までの殆ど全ての操作を賄うことになるリモートコントローラの操作が簡単になり、この結果、総体的に取り扱い易さが向上する。
【００５５】
尚、リモートコントローラ側からパネルディスプレイ装置（上述の実施の形態ではデジタルテレビ）側を操作するについては、上述の例では、リモートコントローラ２００側のリモートコントロール信号投射部２０２から赤外光によるコマンドを投射し、デジタルテレビ１００側のリモートコントロール信号受信部１５２でこの赤外光によるコマンドを受信するようにして行う場合について説明したが、パネルディスプレイ装置（上述の実施の形態ではデジタルテレビ）側を操作する信号（コマンド）は赤外光によるものに限定されず、上掲の本体側課金・決済通信部およびリモートコントローラ側課金・決済通信部におけると同様に、ＩＥＥＥ８０２．１１ｂ、ＩＥＥＥ８０２．１１ｇ、ブルートゥース、または、ＺｉｇＢｅｅの何れかに準拠した通信方式によって通信を行うように構成してもよいことは勿論である。
【００５６】
また、既述の実施の形態を他の局面から見ると、パネルディスプレイ装置において、コンテンツ提供履歴をメモリに蓄積できるため、視聴者のコンテンツ取得状況を追跡調査して、現実に視聴に供されたコンテンツをその視聴者毎（より厳密には、ストアードバリュー型電子マネーの所有者毎）に確認できるので、この追跡調査履歴がコンテンツ配信事業者側で取得されるようにシステムを構築すれば、最適なコンテンツ提供方法等を検討する事が出来る。尚、この場合には、プライバシーの保護を十全にするための特定の契約等の仕組みが必要となる。
【図面の簡単な説明】
【００５７】
【図１】本発明の一つの実施の形態としての有料コンテンツ課金決済システムとその使用状況を表す図である。
【図２】図１の有料コンテンツ課金決済システムにおけるパネルディスプレイ装置としてのデジタルテレビの構成を示すブロック図である。
【図３】図１の有料コンテンツ課金決済システムにおけるリモートコントローラの構成を示すブロック図である。
【図４】本発明の他の実施の形態を説明する図である。
【符号の説明】
【００５８】
１００…デジタルテレビ  １０１…筐体  １０２…スクリーン    １１０…アンテナ    １２０…チューナ部  １３０…デスクランブル部    １４０…ＡＶデコーダ部  １４１…加算器  １４２…映像処理部  １４３…音声処理部  １４４…映像出力部  １４５…音声出力部  １５０…システムコントローラ  １５１…ＯＳＤ回路  １５２…リモートコントロール信号受信部  １５３…リモートコントロール信号デコード部    １５５…メモリ  １５６…操作部  １５７…ＩＰ網インターフェース部  １６０…表示器  １６１…スピーカ    １７０…システムコントローラ  １７１…操作部  １８０…リモートコントロール信号検出用窓  ２００…リモートコントローラ  ２００ａ…リモートコントローラ    ２０１…操作・表示部  ２０２…リモートコントロール信号投射部  ２０３…リーダライタ部  ２０３ａ…リーダライタ部  ２１０…システムコントローラ  ２１１…メモリ  ２１２…接続検出部  ２１３…外部機器インターフェース部  ２７０…リモートコントローラ側課金・決済通信部  ４００…ＩＰ網  ４５０…サーバ  １０００…有料コンテンツ課金決済システム  ２１００…カード型電子マネー  ２２００…腕時計内蔵型電子マネー
【図１】
2007195028.tif 000003
【図２】
2007195028.tif 000004
【図３】
2007195028.tif 000005
【図４】
2007195028.tif 000006